(57)【要約】  保持部材は、少なくとも一部が可視光透過性を有し、弾性変形可能な材料で構成され、可視光調整フィルムを収納する収納部材と、収納部材の窓面に対向する面の少なくとも一部に設けられ、収納部材を窓面に貼合する第１貼合部と、を備える。収納部材は、窓面に対向して設けられる第１平面部と、第１平面部に対して窓面と反対側に設けられ、第１平面部と略平行に配置された第２平面部と、第１平面部と第２平面部との間において可視光調整フィルムを収納する第１空隙部と、可視光調整フィルムを出し入れするための出入口と、を備える。
2019027008.tif 000002
【特許請求の範囲】
【請求項１】
可視光調整フィルムを収納した状態で窓面に保持するための保持部材であって、
少なくとも一部が可視光透過性を有し、弾性変形可能な材料で構成され、前記可視光調整フィルムを収納する収納部材と、
前記収納部材の前記窓面に対向する面の少なくとも一部に設けられ、前記収納部材を前記窓面に貼合する第１貼合部と、
を備え、
前記収納部材は、前記窓面に対向して設けられる第１平面部と、前記第１平面部に対して前記窓面と反対側に設けられ、前記第１平面部と略平行に配置された第２平面部と、前記第１平面部と前記第２平面部との間において前記可視光調整フィルムを収納する第１空隙部と、前記可視光調整フィルムを出し入れするための出入口と、を備えた、保持部材。
【請求項２】
前記収納部材は、前記可視光透過性以外の特定機能を有する、請求項１に記載の保持部材。
【請求項３】
前記特定機能は、可視域および非可視域のうちの少なくとも一部の波長の光の透過量を減少させる機能である、請求項２に記載の保持部材。
【請求項４】
前記特定機能は、反射防止機能もしくは防眩機能である、請求項２に記載の保持部材。
【請求項５】
前記特定機能は、撥水機能、防汚機能、防傷機能、防炎機能のいずれかである、請求項２に記載の保持部材。
【請求項６】
前記特定機能は、前記第１平面部および前記第２平面部の前記第１空隙部に対向する面に施された易滑機能である、請求項２に記載の保持部材。
【請求項７】
前記収納部材は、前記出入口の一部に設けられた切り欠き部をさらに備えた、請求項１に記載の保持部材。
【請求項８】
前記収納部材は、前記可視光調整フィルムを所定の向きに収納するための位置決め部をさらに備えた、請求項１に記載の保持部材。
【請求項９】
前記第１貼合部は、前記窓面に対向する前記収納部材の外面の全域に設けられている、請求項１に記載の保持部材。
【請求項１０】
前記第１貼合部は、可視域および非可視域のうちの少なくとも一部の波長の光の透過を抑制する機能を有する、請求項９に記載の保持部材。
【請求項１１】
前記第２平面部は、前記第１平面部の外側に張り出した張出部と、前記張出部の前記窓面に対向する側の面に設けられた第２貼合部と、をさらに備えた、請求項１に記載の保持部材。
【請求項１２】
前記第２平面部は、布、不織布、紙のいずれかで構成されている、請求項１に記載の保持部材。
【請求項１３】
前記収納部材は、前記第２平面部に対して前記第１平面部と反対側に設けられ、前記第２平面部と略平行に配置された第３平面部と、前記第２平面部と前記第３平面部との間において前記可視光調整フィルムとは異なる光学フィルムを収納する第２空隙部と、をさらに備えた、請求項１に記載の保持部材。
【請求項１４】
前記第１平面部と前記第２平面部とは、一体形成された筒状部材で構成されている、請求項１に記載の保持部材。
【請求項１５】
前記第１平面部と前記第２平面部とは、周縁部が互いに接着された別体の２枚の板状部材で構成されている、請求項１に記載の保持部材。
【請求項１６】
請求項１から請求項１５までのいずれか一項に記載の保持部材と、
前記保持部材に保持された前記可視光調整フィルムとしての採光フィルムと、
を備えた、採光装置。
【発明の詳細な説明】
【技術分野】
【０００１】
本発明のいくつかの態様は、保持部材および採光装置に関する。
本願は、２０１７年８月３日に、日本に出願された特願２０１７−１５０８２３号に基づき優先権を主張し、その内容をここに援用する。
【背景技術】
【０００２】
建築物の窓等を通して太陽光を室内に採り込むための採光装置が、特許文献１に開示されている。下記の特許文献１には、光透過性を有する複数の突起部からなる採光部が基材の一面に設けられた第１採光部と、光散乱シートからなる第２採光部と、を備えた採光部材が開示されている。特許文献１には、採光部材を窓に設置する際には、採光部材の複数の採光部が形成された側の面の全域が接着層を介して窓ガラスに貼り付けられる、と記載されている。
【先行技術文献】
【特許文献】
【０００３】
【特許文献１】国際公開第２０１６／００２５８５号
【発明の概要】
【発明が解決しようとする課題】
【０００４】
特許文献１の採光部材を窓に設置した際、採光部の先端部分が接着層に埋め込まれることによって採光機能が低下する、という問題があった。【０００５】
本発明の一つの態様は、上記の課題を解決するためになされたものであり、所定の機能を低下させることなく、可視光調整フィルムを窓面に保持することができる保持部材を提供することを目的の一つとする。また、上記の保持部材と採光フィルムとを備えた採光装置を提供することを目的の一つとする。
【課題を解決するための手段】
【０００６】
上記の目的を達成するために、本発明の一つの態様の保持部材は、可視光調整フィルムを収納した状態で窓面に保持するための保持部材であって、少なくとも一部が可視光透過性を有し、弾性変形可能な材料で構成され、前記可視光調整フィルムを収納する収納部材と、前記収納部材の前記窓面に対向する面の少なくとも一部に設けられ、前記収納部材を前記窓面に貼合する第１貼合部と、を備えている。前記収納部材は、前記窓面に対向して設けられる第１平面部と、前記第１平面部に対して前記窓面と反対側に設けられ、前記第１平面部と略平行に配置された第２平面部と、前記第１平面部と前記第２平面部との間において前記可視光調整フィルムを収納する第１空隙部と、前記可視光調整フィルムを出し入れするための出入口と、を備えている。【０００７】
本発明の一つの態様の保持部材において、前記収納部材は、前記可視光透過性以外の特定機能を有していてもよい。【０００８】
本発明の一つの態様の保持部材において、前記特定機能は、可視域および非可視域のうちの少なくとも一部の波長の光の透過量を減少させる機能であってもよい。【０００９】
本発明の一つの態様の保持部材において、前記特定機能は、反射防止機能もしくは防眩機能であってもよい。【００１０】
本発明の一つの態様の保持部材において、前記特定機能は、撥水機能、防汚機能、防傷機能、防炎機能のいずれかであってもよい。【００１１】
本発明の一つの態様の保持部材において、前記特定機能は、前記第１平面部および前記第２平面部の前記第１空隙部に対向する面に施された易滑機能であってもよい。【００１２】
本発明の一つの態様の保持部材において、前記収納部材は、前記出入口の一部に設けられた切り欠き部をさらに備えていてもよい。【００１３】
本発明の一つの態様の保持部材において、前記収納部材は、前記可視光調整フィルムを所定の向きに収納するための位置決め部をさらに備えていてもよい。【００１４】
本発明の一つの態様の保持部材において、前記第１貼合部は、前記窓面に対向する前記収納部材の外面の全域に設けられていてもよい。【００１５】
本発明の一つの態様の保持部材において、前記第１貼合部は、可視域および非可視域のうちの少なくとも一部の波長の光の透過を抑制する機能を有していてもよい。【００１６】
本発明の一つの態様の保持部材において、前記第２平面部は、前記第１平面部の外側に張り出した張出部と、前記張出部の前記窓面に対向する側の面に設けられた第２貼合部と、をさらに備えていてもよい。【００１７】
本発明の一つの態様の保持部材において、前記第２平面部は、布、不織布、紙のいずれかで構成されていてもよい。【００１８】
本発明の一つの態様の保持部材において、前記収納部材は、前記第２平面部に対して前記第１平面部と反対側に設けられ、前記第２平面部と略平行に配置された第３平面部と、前記第２平面部と前記第３平面部との間において前記可視光調整フィルムとは異なる光学フィルムを収納する第２空隙部と、をさらに備えていてもよい。【００１９】
本発明の一つの態様の保持部材において、前記第１平面部と前記第２平面部とは、一体形成された筒状部材で構成されていてもよい。【００２０】
本発明の一つの態様の保持部材において、前記第１平面部と前記第２平面部とは、周縁部が互いに接着された別体の２枚の板状部材で構成されていてもよい。【００２１】
本発明の一つの態様の採光装置は、本発明の一つの態様の保持部材と、前記保持部材に保持された前記可視光調整フィルムとしての採光フィルムと、を備える。
【発明の効果】
【００２２】
本発明の一つの態様によれば、所定の機能を低下させることなく、可視光調整フィルムを窓面に保持することができる保持部材を実現することができる。また、本発明の一つの態様によれば、上記の保持部材を備えた採光装置を実現することができる。
【図面の簡単な説明】
【００２３】
【図１】第１実施形態の採光装置の斜視図である。
【図２】図１のII−II線に沿う断面図である。
【図３】保持部材の正面図である。
【図４】図３のIV−IV線に沿う断面図である。
【図５】保持部材を窓に設置した状態を上から観察した窓の断面図である。
【図６Ａ】保持部材の製造プロセスの一工程を示す図である。
【図６Ｂ】図６Ａの続きである。
【図６Ｃ】図６Ｂの続きである。
【図６Ｄ】図６Ｃの続きである。
【図７】比較例の採光装置を示す断面図である。
【図８】本発明者らが試作した採光装置の評価方法を説明するための模式図である。
【図９】本実施形態の採光装置の採光特性を示すグラフである。
【図１０】比較例の採光装置の採光特性を示すグラフである。
【図１１】採光フィルムの第１変形例を示す断面図である。
【図１２】採光フィルムの第２変形例を示す断面図である。
【図１３】採光フィルムの第３変形例を示す断面図である。
【図１４】採光フィルムの第４変形例を示す断面図である。
【図１５】採光フィルムの第５変形例を示す斜視図である。
【図１６】異方性拡散層の作用を説明するための図である。
【図１７】第２実施形態の保持部材の正面図である。
【図１８】図１７のXVIII−XVIII線に沿う断面図である。
【図１９】第３実施形態の採光装置の断面図である。
【図２０】第４実施形態の採光装置の正面図である。
【図２１】図２０のXXI−XXI線に沿う断面図である。
【図２２】第５実施形態の採光装置の正面図である。
【図２３】第６実施形態の採光装置の正面図である。
【図２４】第７実施形態の採光装置の正面図である。
【図２５】第８実施形態の採光装置の正面図である。
【図２６】第９実施形態の採光装置の断面図である。
【図２７】第１０実施形態の採光装置の断面図である。
【図２８】第１１実施形態の採光装置の正面図である。
【図２９】採光装置を設置した部屋の断面図である。
【図３０】部屋の天井を示す平面図である。
【図３１】採光装置により室内に採光された光（自然光）の照度と、室内照明装置による照度との関係を示すグラフである。
【発明を実施するための形態】
【００２４】
［第１実施形態］
以下、本発明の第１実施形態について、図１〜図１０を用いて説明する。
第１実施形態では、可視光調整フィルムとしての採光フィルムを備えた採光装置の一例を挙げる。本実施形態の採光装置は、例えば窓面に設置され、太陽光を室内の天井方向に採り入れるために用いられる。
図１は、第１実施形態の採光装置の斜視図である。図２は、図１のII−II線に沿う断面図である。図３は、保持部材の正面図である。図４は、図３のIV−IV線に沿う断面図である。図５は、保持部材を窓に設置した状態を上から観察した窓の断面図である。
【００２５】
以下の説明において、採光装置の各部の位置関係（上下、左右、前後）については、室内に位置する使用者から見た位置関係（上下、左右、前後）に基づき、特に説明がない限り、図面においても、採光装置の各部の位置関係は、紙面における位置関係と一致するものとする。
また、以下の各図面においては各構成要素を見やすくするため、構成要素により寸法の縮尺を異ならせて示すことがある。
【００２６】
図１に示すように、採光装置１０は、保持部材１１と、保持部材１１に保持された採光フィルム１２と、を備える。保持部材１１は、採光フィルム１２を収納した状態で窓面１３に保持する。
【００２７】
以下、保持部材１１について説明する。
図２、図４に示すように、保持部材１１は、収納部材１５と、貼合部１６（第１貼合部）と、を備えている。収納部材１５は、可視光波長域で光透過性を有し、弾性変形可能な樹脂製のシート、不織布、紙などで構成されており、内部に採光フィルム１２を収納する。収納部材１５を構成する樹脂材料としては、例えばアクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等を有する光透過性基材が用いられる。具体的には、例えばトリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルフォン（ＰＥＳ）、ポリイミド（ＰＩ）、シクロオレフィンポリマー（ＣＯP）、アクリル（ＰＭＭＡ）、ポリ塩化ビニル（ＰＶＣ）等が挙げられる。
【００２８】
貼合部１６は、収納部材１５の窓面１３に対向する外面の全域に設けられている。貼合部１６は、収納部材１５を窓面１３に貼合する粘着層で構成されている。
【００２９】
収納部材１５は、第１平面部１８と、第２平面部１９と、空隙部２０（第１空隙部）と、出入口２１と、切り欠き部２２と、位置決め部２３と、を備えている。
【００３０】
収納部材１５は、互いに略平行に設けられた２つの平面部１８，１９を有する。以下、２つの平面部１８，１９のうち、窓面１３に対向して設けられる平面部を第１平面部１８と称する。第１平面部１８に対して窓面１３と反対側（室内側）に設けられ、第１平面部１８と略平行に配置された平面部を第２平面部１９と称する。本実施形態の場合、第１平面部１８と第２平面部１９とは、一体形成された筒状部材で構成されている。
【００３１】
空隙部２０は、第１平面部１８と第２平面部１９との間において採光フィルム１２を収納する収納空間となる箇所である。図４に示すように、採光フィルム１２が収納部材１５に収容されていない状態において、第１平面部１８と第２平面部１９とは互いに接触する程度に接近し、空隙部２０は非常に狭まった状態である。
【００３２】
ところが、収納部材１５が弾性変形可能な樹脂シートで構成されているため、図２に示すように、採光フィルム１２が収納部材１５に収容された状態では、採光フィルム１２は、第１平面部１８と第２平面部１９との間に開いた空隙部２０に収容され、第１平面部１８と第２平面部１９とによって挟み込まれた状態となる。この構成により、収納部材１５は、採光フィルム１２を窓面１３に対して略平行な姿勢で保持することができる。
【００３３】
図１に示すように、出入口２１は、使用者が採光フィルム１２を出し入れする際に用いられる。図３に示すように、収納部材１５を正面から見た形状は長方形であり、出入口２１は長方形のいずれの辺に設けられていてもよいが、本実施形態では左辺に沿って設けられている。
【００３４】
図３に示すように、切り欠き部２２は、出入口２１の一部に設けられている。詳細には、切り欠き部２２は、第２平面部１９の左辺における出入口２１の上下方向の略中央の一部が半円状に切り欠かれたことにより形成されている。採光フィルム１２を収納部材１５に収納した状態においては、採光フィルム１２の一部が切り欠き部２２から外部に露出する。これにより、使用者は、切り欠き部２２から露出した採光フィルム１２に指を掛けることにより、採光フィルム１２を出し入れしやすい。ただし、切り欠き部２２は、必ずしも設けられていなくてもよい。
【００３５】
図３に示すように、位置決め部２３は、収納部材１５の出入口２１とは反対側（採光フィルム１２の挿入方向の奥側）の下部に設けられ、空隙部２０が三角形状に閉じた部分である。これにより、位置決め部２３には、採光フィルム１２が挿入されないようになっている。ただし、位置決め部２３は、必ずしも設けられていなくてもよい。
【００３６】
保持部材１１の寸法は、窓面１３に設置する採光フィルム１２の寸法に合わせて適宜設定される。また、保持部材１１の厚さは、採光フィルム１２を収納した状態で１０ｍｍ以下である。したがって、図５に示すように、引き違い窓２５を構成する２枚の窓面１３Ａ，１３Ｂに採光装置１０がそれぞれ設置されていても、窓面１３Ａ，１３Ｂを支障なく開閉することができる。
【００３７】
また、収納部材１５もしくは貼合部１６は、可視光透過性以外の特定の機能を有していてもよい。特定の機能は、可視域および非可視域のうちの少なくとも一部の波長域の光の透過量を減少させる機能であり、例えば紫外線吸収機能、紫外線反射機能等であってもよい。これにより、室内に進入する紫外線の量を減少させることができる。
【００３８】
また、特定の機能は、第１平面部１８および第２平面部１９の空隙部２０に対向する面、もしくは第２平面部１９の室内側の面に施された反射防止機能もしくは防眩機能であってもよい。これにより、室内の使用者が眩しさを感じることが少なくなる。
【００３９】
また、特定の機能は、各平面部１８，１９の空隙部２０に対向する面もしくは第２平面部１９の室内側の面に施された撥水機能、防汚機能、防傷機能、防炎機能のいずれかであってもよい。これにより、耐水性、防汚性、耐傷性、耐火性に優れた採光装置１０を提供することができる。その他、第２平面部１９の室内側の面にハードコート層、ダイヤモンドコート層等を形成し、強度を高めてもよい。
【００４０】
また、特定の機能は、各平面部１８，１９の空隙部２０に対向する面に施された易滑機能であってもよい。これにより、採光フィルム１２の滑りが良くなり、採光フィルム１２を出し入れしやすくなる。
【００４１】
以下、上記構成の保持部材１１の製造方法について説明する。
最初に、図６Ａに示すように、インフレーション法等により、円筒状のフィルム２７を作製する。インフレーション法では、押出機によって溶融された樹脂を円形ダイによって円筒状に成型し、連続したチューブ状に押し出す。この際、円筒の内部に空気が送風されることで樹脂が膨張し、所定の幅を有する円筒状のフィルム２７となる。
【００４２】
次に、図６Ｂに示すように、円筒状のフィルム２７を押しつぶし、両端を折り曲げ加工する。このとき、ヒートシール法等を用いてフィルム２７の折り曲げた両端の縁を融着し、強度を高めてもよい。
【００４３】
次に、図６Ｃに示すように、折り曲げ加工したフィルム２７の片面に粘着層２８を形成する。このとき、必要に応じて、フィルム２７の他の面に対して、上記の種々の機能性を付与するためのコーティングを施してもよい。
【００４４】
次に、図６Ｄに示すように、粘着層２８を形成したフィルムを任意の寸法、任意の形状に切断線Ｓに沿って切断する。また、両端の切断面のうち、一方の切断面において切り欠き部２２を形成するとともに、他方の切断面においてヒートシール法等を用いて縁を融着し、開口を閉じる。さらにヒートシール法等を用いて縁を三角形状に融着し、位置決め部２３を形成する。
以上の工程により、保持部材１１が作製される。
【００４５】
次に、採光フィルム１２について説明する。
図２に示すように、採光フィルム１２は、光透過性を有する基材２９と、基材２９の第１面２９ａに設けられた光透過性を有する複数のプリズム構造体３０と、を備えている。
また、隣り合うプリズム構造体３０同士の間には、空隙部３１が設けられている。本実施形態において、採光フィルム１２は、複数のプリズム構造体３０が設けられた基材２９の第１面２９ａが室外側を向くように設置される。
【００４６】
図１に示すように、採光フィルム１２は、保持部材１１の位置決め部２３に対応して、右下の角部１２ｃが斜めにカットされている。これにより、採光フィルム１２が保持部材１１に対して正しい向きに挿入された場合に、採光フィルム１２が保持部材１１の奥まで挿入される。つまり、使用者は、採光フィルム１２が保持部材１１の奥まで挿入されなかった場合に採光フィルム１２が正しい向きでなかったことを認識できる。そのため、使用者は、採光フィルム１２の上下、表裏を間違えることなく、採光フィルム１２を正しい向きに挿入することができる。これにより、採光装置１０は、所定の採光性能を発揮することができる。
【００４７】
基材２９としては、例えば熱可塑性ポリマー、熱硬化性樹脂、光重合性樹脂等の樹脂類から構成される光透過性基材が用いられる。アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等を有する光透過性基材が用いられる。具体的には、例えばトリアセチルセルロース（ＴＡＣ）フィルム、ポリエチレンテレフタレート（ＰＥＴ）フィルム、シクロオレフィンポリマー（ＣＯＰ）フィルム、ポリカーボネート（ＰＣ）フィルム、ポリエチレンナフタレート（ＰＥＮ）フィルム、ポリエーテルサルフォン（ＰＥＳ）フィルム、ポリイミド（ＰＩ）フィルム、シクロオレフィンポリマー（ＣＯＰ）フィルム、アクリル（ＰＭＭＡ）フィルム、ポリ塩化ビニル（ＰＶＣ）フィルム等の光透過性基材が好ましく用いられる。本実施形態では、一例として厚さが１００μｍのＰＥＴフィルムが用いられる。基材２９の全光線透過率は例えば９０％以上が好ましい。これにより、十分な透明性が得られる。
【００４８】
プリズム構造体３０は、一方向（図２の紙面と垂直な方向）に直線状に細長く延びた部材であって、長手方向と直交する断面形状が例えば三角形の部材である。プリズム構造体３０の長手方向は、基材２９の１辺と平行である。複数のプリズム構造体３０は、互いに平行に鉛直方向に並べて配置されている。
【００４９】
図２に示すように、この例では、プリズム構造体３０の断面形状は二等辺三角形である。プリズム構造体３０の断面形状において、面３０ａと面３０ｂとのなす角度と、面３０ａと面３０ｃとのなす角度とはそれぞれ例えば６５°である。また、プリズム構造体３０は、面３０ｂおよび面３０ｃのうち、一方の面３０ｂから入射した光を他方の面３０ｃで反射することにより、太陽光を室内へ採光する機能を有する。この場合、面３０ｃを、以下の説明では反射面３０ｃと称する。
【００５０】
プリズム構造体３０は、例えばアクリル樹脂やエポキシ樹脂、シリコーン樹脂等の光透過性および感光性を有する有機材料で構成されている。また、これらの樹脂に重合開始剤、カップリング剤、モノマー、有機溶媒などを混合した透明樹脂製の混合物を用いることができる。さらに、重合開始剤は、安定剤、禁止剤、可塑剤、蛍光増白剤、離型剤、連鎖移動剤、他の光重合性単量体等のような各種の追加成分を含んでいてもよい。有機材料の全光線透過率は９０％以上が好ましい。これにより、十分な透明性が得られる。
【００５１】
窓面１３を透過した太陽光Ｌが、プリズム構造体３０に入射し、基材２９から射出される際の経路はいくつか考えられるが、図２に典型的な経路を示す。
図２に示すように、プリズム構造体３０は、反射面３０ｃで反射した光Ｌを、基材２９の第２面２９ｂ側から射出し、室内の水平方向もしくは天井に向けて進行させる。このプリズム構造体３０の作用により、採光装置１０は、太陽光Ｌを室内に採り入れて水平方向もしくは天井の方向に導く。
【００５２】
空隙部３１には、空気が存在している。したがって、空隙部３１の屈折率は概ね１．０である。空隙部３１の屈折率を１．０とすることにより、空隙部３１とプリズム構造体３０との界面における臨界角が最小となる。本実施形態の場合、空隙部３１は、空気からなる空気層としたが、空隙部３１は、例えば他の部材によって覆われて密閉空間とされた上で、窒素等の不活性ガスからなる不活性ガス層であってもよいし、減圧状態とされた減圧層であってもよい。
【００５３】
この構成に代えて、互いに隣り合うプリズム構造体３０の間の空間に他の低屈折率材料が充填されていてもよい。しかしながら、プリズム構造体３０と空隙部３１との界面の屈折率差は、空隙部３１にいかなる低屈折率材料が存在する場合よりも空気が存在する場合に最大となる。したがって、隣り合うプリズム構造体３０の間の空隙部３１に空気が存在する場合は、スネル（Snell）の法則より、プリズム構造体３０に入射した太陽光Ｌのうち、反射面３０ｃで全反射する光の臨界角が最も小さくなる。
【００５４】
以下、従来の採光フィルムの問題点と、本実施形態の採光装置１０の作用、効果について説明する。
図７に示すように、従来の採光フィルム１１２は、粘着層１１６によって窓面１３に直接貼合されていた。そのため、プリズム構造体１３０の先端が粘着層１１６に埋め込まれ、面１３０ｃのうち、粘着層１１６に埋め込まれた部分が反射面として機能しなくなっていた。その結果、反射面として機能しない部分を透過した光Ｌ１が採光フィルム１１２を直進し、床面側に進行する結果、室内の使用者が眩しさ（グレア）を感じる原因となっていた。
【００５５】
これに対して、本実施形態の採光装置１０の場合、図２に示すように、採光フィルム１２が保持部材１１に収納されることで窓面１３に保持されるため、プリズム構造体３０が粘着層に埋め込まれることがなく、反射面３０ｃの全てが反射面として機能する。その結果、本実施形態の採光装置１０によれば、採光フィルム１２を直進し、床面側に進行する光を低減することができ、グレアを抑制できるとともに所望の採光特性を得ることができる。
【００５６】
ここで、本発明者らは、上記構成の採光装置１０と比較例の採光装置を実際に試作し、採光特性を評価した。なお、試作した採光フィルムは、断面が３角形の上記のプリズム構造体に代えて、断面が５角形のプリズム構造体を備えた採光フィルムである。
【００５７】
評価方法は、図８に示すように、採光フィルム１０１のプリズム構造体１０２が形成された第１面１０１ａの法線方向（水平方向）に対して光源１０４を斜め上方３５°の角度に設置し、光源１０４から光を入射させ、第２面１０１ｂ側に配置した受光機１０５によって光の強度を検出し、その検出値から透過率を算出した。この際、第２面１０１ｂの法線方向に対する受光機１０５の設置角度α（極角）を変えて光の強度を検出した。
【００５８】
評価結果を図９および図１０に示す。
図９および図１０において、グラフの横軸は角度α［°］であり、縦軸は透過率［％］である。図９は本実施形態の採光装置の評価結果であり、図１０は比較例の採光装置の評価結果である。また、角度αについては、基準となる水平面Ｈ（図８参照）に対して上側（天井側）を正の符号で示し、下側（床面側）を負の符号で示す。
【００５９】
比較例の採光装置においては、図１０に示すように、透過率曲線は、−３５°の近傍に透過率のピークＰ１を有している。これは、プリズム構造体の反射面で反射することなく、採光フィルムを直進して床面を照らす光が多いことを示している。また、０°〜２０°程度の範囲Ｆ１での透過率が低く、部屋の奥側に届く光が少ないことが判った。４０°の近傍にある透過率のピークＰ２は、プリズム構造体の粘着層に埋まっていない部分の反射面において採光フィルムの設計通りの反射が生じていることを示している。
【００６０】
これに対して、本実施形態の採光装置においては、図９に示すように、比較例の採光装置で生じていた−３５°近傍の透過率のピークＰ１が存在せず、採光フィルムを直進して床面を照らす光が略存在しなくなったことが判った。また、０°〜２０°の範囲に透過率のピークＰ３が現れ、比較例と比べて部屋の奥側に届く光が多くなったことが判った。また、４０°近傍の透過率のピークＰ４も、０°〜２０°の透過率のピークＰ３と同程度のレベルであり、天井側に向かう光も十分に存在していることが判った。
【００６１】
以上説明したように、本実施形態によれば、所定の機能を低下させることなく、採光フィルム１２を窓面に確実に保持することができる保持部材１１を提供することができる。
また、この保持部材１１の使用により、所望の採光特性を発揮できる採光装置１０が実現できる。
【００６２】
本実施形態の採光装置１０は、さらに以下の効果を得ることができる。
一般に、採光フィルムは、窓面に平行に設置されることを前提としてプリズム構造体の形状等が設計される。そのため、プリズム構造体が粘着層に埋め込まれることがなかったとしても、採光フィルムが例えば窓面に対して傾いて設置された場合には、採光フィルムは所望の採光特性を発揮することができない。ところが、本実施形態の採光装置１０では、収納部材１５の各平面部１８，１９がある程度の弾性を有しており、採光フィルム１２は２枚の平面部１８，１９に挟み込まれた状態で窓面１３に対して略平行な姿勢で保持される。これにより、採光装置１０は、所望の採光特性を十分に発揮することができる。
【００６３】
また、使用状況に応じて採光フィルム１２の交換、取り外しを行う場合に、交換作業や取り外し作業を容易に行うことができる。従来の採光フィルムは粘着層で窓面に直接貼合されているため、例えば採光フィルムを取り外す際に無理な力が加わると、プリズム構造体の変形や破損が生じるという不具合があった。これに対し、本実施形態の採光装置１０においては、採光フィルム１２を取り外したい場合には保持部材１１から採光フィルム１２を抜き取るだけでよく、採光フィルム１２の変形や破損が生じるおそれがない。
【００６４】
また、窓面１３と採光フィルム１２との間に空気層が介在すると、不要な界面反射が生じ、光の透過率が低下するという問題がある。この問題に対して、本実施形態の採光装置１０においては、図２に示すように、貼合部１６が収納部材１５の外面の全域に設けられているため、窓面１３と収納部材１５との間に空気層が全く存在しない。これにより、界面反射に伴う光の透過率低下が抑えられ、光の利用効率を高めることができる。
【００６５】
なお、本実施形態の保持部材１１において、収納部材１５は、第１平面部１８と第２平面部１９とが一体形成された筒状部材で構成されていたが、この構成に代えて、第１平面部１８と第２平面部１９とは、出入口を除く周縁部が互いに接着された別体の２枚のシート（板状部材）で構成されていてもよい。
【００６６】
なお、本実施形態の採光フィルム１２は、断面形状が三角形状のプリズム構造体３０を備えていたが、プリズム構造体の断面形状は三角形状に限ることなく、以下の変形例の構成を採用することが可能である。また、以下の変形例に限らず、さらに他の断面形状を有するプリズム構造体を採用することができる。
【００６７】
［採光フィルムの第１変形例］
図１１は、採光フィルム３３の第１変形例を示す断面図である。
図１１に示すように、第１変形例の採光フィルム３３は、基材２９と、基材２９の第１面２９ａに設けられた光透過性を有する複数のプリズム構造体３４と、を備えている。採光フィルム３３は、複数のプリズム構造体３４が設けられた基材２９の第１面２９ａが室外側を向くように設置される。
【００６８】
プリズム構造体３４の長手方向に垂直な断面形状は、５角形状である。プリズム構造体３４において、面３４ａおよび面３４ｂは主に入射面として機能し、面３４ｃおよび面３４ｄは主に光の反射面として機能する。基材２９の第２面２９ｂは、射出面として機能する。
【００６９】
［採光フィルムの第２変形例］
図１２は、採光フィルム３６の第２変形例を示す断面図である。
図１２に示すように、第２変形例の採光フィルム３６は、基材２９と、基材２９の第２面２９ｂに設けられた光透過性を有する複数のプリズム構造体３７と、を備えている。採光フィルム３６は、複数のプリズム構造体３７が設けられた基材２９の第２面２９ｂが室内側を向くように設置される。
【００７０】
プリズム構造体３７の長手方向に垂直な断面形状は、４角形状である。プリズム構造体３７において、面３７ｃは反射面として機能し、面３７ａおよび面３７ｂは射出面として機能する。基材２９の第１面２９ａは、入射面として機能する。
【００７１】
［採光フィルムの第３変形例］
図１３は、採光フィルム４８の第３変形例を示す断面図である。
図１３に示すように、第３変形例の採光フィルム４８は、基材４９の内部に形成された複数のプリズム構造体４９Ａと、複数の屈折率変調部４９Ｂと、を備えている。すなわち、本変形例の採光フィルム４８において、複数のプリズム構造体４９Ａおよび複数の屈折率変調部４９Ｂは、基材４９の内部に埋め込まれており、表面に露出していない。複数の屈折率変調部４９Ｂの各々は、基材の屈折率よりも低い屈折率を有する材料が充填された構成であってもよいし、空隙であってもよい。
【００７２】
［採光フィルムの第４変形例］
図１４は、採光フィルム３９の第４変形例を示す断面図である。
図１４に示すように、第４変形例の採光フィルム３９は、基材２９と、複数のプリズム構造体３０と、アンチグレアコーティング層４０と、を備えている。複数のプリズム構造体３０は、基材２９の第１面２９ａに設けられている。アンチグレアコーティング層４０は、複数の光散乱粒子４１を含有し、基材２９の第２面２９ｂに設けられている。採光フィルム３９は、複数のプリズム構造体３０が設けられた基材２９の第１面２９ａが室外側を向くように設置される。
【００７３】
第４変形例の採光フィルム３９によれば、基材２９の室内側にアンチグレアコーティング層４０が設けられたことにより、室内の使用者が感じる眩しさを低減することができる。
【００７４】
［採光フィルムの第５変形例］
図１５は、採光フィルムの第５変形例を示す断面図である。
図１５に示すように、第５変形例の採光フィルム４３は、基材２９と、複数のプリズム構造体３０と、異方性拡散層４４と、を備えている。複数のプリズム構造体３０は、基材２９の第１面２９ａに設けられている。異方性拡散層４４は、基材２９の第２面２９ｂに設けられている。採光フィルム４３は、複数のプリズム構造体３０が設けられた基材２９の第１面２９ａが室外側を向くように設置される。
【００７５】
異方性拡散層４４は、鉛直方向に延びる複数のシリンドリカルレンズ４５が水平方向に並べられたレンチキュラーレンズから構成されている。この例では、各シリンドリカルレンズ４５は、鉛直方向に直線状に延びているが、曲線状に湾曲していてもよい。もしくは、異方性拡散層は、このような規則的なシリンドリカルレンズ４５に代えて、不規則な形状を有し、全体として概ね鉛直方向に延びる複数の凸部が設けられた層で構成されていてもよい。
【００７６】
異方性拡散層は、図８に示した光強度の測定方法において、光源１０４を採光フィルム１０１の第１面１０１ａの法線上に配置し、光を入射角０°で入射させた場合に、図１６に示すように、透過光の拡散強度分布が採光フィルム面内の互いに直交する２方向で異なっており、強拡散方向（符号ＫＳの曲線）と弱拡散方向（符号ＫＷの曲線）とを有する。
例えば、上述の曲線状に湾曲したシリンドリカルレンズ、不規則な形状の複数の凸部等を備えた異方性拡散層の場合、図１６に示したような拡散強度分布を示す。これに対し、鉛直方向に直線状に延びるシリンドリカルレンズを備えた異方性拡散層の場合、光の拡散は水平方向でのみ生じ、鉛直方向では生じない。本変形例では、いずれの異方性拡散層が用いられてもよい。
【００７７】
第５変形例の採光フィルム４３によれば、個々のシリンドリカルレンズ４５が鉛直方向に延びる異方性拡散層４４が設けられたことにより、光を水平方向（窓面の左右方向）に拡散させることができ、室内の明るさムラを低減することができる。
【００７８】
［第２実施形態：採光装置］
以下、第２実施形態の採光装置について、図１７、図１８を用いて説明する。
第２実施形態の採光装置の基本構成は第１実施形態と同一であり、保持部材の構成が第１実施形態と異なる。したがって、採光フィルムの説明は省略し、保持部材についてのみ説明する。
図１７は、第２実施形態の保持部材の正面図である。図１８は、図１７のXVIII−XVIII線に沿った保持部材の断面図である。
図１７、図１８において、第１実施形態で用いた図面と共通の構成要素には同一の符号を付し、説明を省略する。
【００７９】
図１７、図１８に示すように、保持部材５１は、収納部材５２と、第１貼合部５３と、第２貼合部５４と、を備えている。収納部材５２は、可視光波長域で光透過性を有し、弾性変形可能な樹脂製のシートで構成されており、内部に採光フィルムを収納する。収納部材５２は、第１平面部５５と、第２平面部５６と、空隙部５７（第１空隙部）と、出入口５８と、位置決め部２３と、を備えている。
【００８０】
第１実施形態の保持部材１１においては、出入口２１が収納部材１５の左辺に沿って設けられていた。これに対して、本実施形態の保持部材５１においては、出入口５８が収納部材５２の上辺に沿って設けられている。また、第２平面部５６は、第１平面部５５の上辺の出入口５８よりも上方に張り出した張出部５６ｔを備えている。
【００８１】
第１貼合部５３は、第１実施形態と同様、収納部材５２の第１平面部５５の窓面に対向する外面の全域に設けられている。第２貼合部５４は、収納部材５２の第２平面部５６のうち、張出部５６ｔの窓面に対向する側の面に設けられている。第１貼合部５３と第２貼合部５４とは、同種の粘着層で構成されている。ただし、第１貼合部５３と第２貼合部５４とは、例えば粘着力が互いに異なる異種の粘着層で構成されていてもよい。
保持部材５１のその他の構成は、第１実施形態と同様である。
【００８２】
本実施形態においても、所定の機能を低下させることなく、採光フィルムを窓面に確実に保持することができる保持部材５１が得られる、所望の採光特性を発揮できる採光装置が得られる、採光フィルムの交換、取り外しを容易に行うことができる、といった第１実施形態と同様の効果が得られる。
【００８３】
さらに本実施形態の場合、出入口５８が収納部材５２の上辺に沿って設けられており、第１実施形態に比べて出入口５８の広さが広いため、採光フィルムを出し入れしやすい。
ただし、収納部材５２の上辺に出入口５８が設けられている構成は、収納部材５２の内部に出入口５８から埃や水分が浸入しやすいという欠点を有している。ところが、第２平面部５６の張出部５６ｔには第２貼合部５４が設けられているため、張出部５６ｔによって出入口５８を塞ぐように、保持部材５１を窓面に設置することができる。これにより、埃や水分の浸入を防止することができる。また、第２平面部５６の張出部５６ｔに第２貼合部５４が設けられたことによって、収納した採光フィルムの重みで出入口５８が広がり、収納部材５２が撓むことを抑えることができる。
【００８４】
なお、本実施形態では、張出部５６ｔは収納部材５２の上辺側に設けられているが、収納部材５２の左右のいずれかの辺に出入口５８を設け、張出部５６ｔを収納部材５２の出入口が設けられた左右のいずれかの辺に設けてもよい。すなわち、張出部は、収納部材の側方に設けられていてもよく、第１平面部の外側に張り出していればよい。
【００８５】
［第３実施形態：採光装置］
以下、第３実施形態の採光装置について、図１９を用いて説明する。
第３実施形態の採光装置の基本構成は第１実施形態と同一であり、保持部材の構成が第１実施形態と異なる。したがって、採光フィルムの説明は省略し、保持部材についてのみ説明する。
図１９は、第３実施形態の採光装置の断面図である。
図１９において、第１実施形態で用いた図面と共通の構成要素には同一の符号を付し、説明を省略する。
【００８６】
図１９に示すように、本実施形態の採光装置６０において、保持部材６１は、収納部材６２と、貼合部１６（第１貼合部）と、を備えている。収納部材６２は、第１平面部１８と、第２平面部６３と、空隙部２０（第１空隙部）と、出入口（図示せず）と、を備えている。
【００８７】
第１実施形態の保持部材１１において、収納部材１５は、第１平面部１８と第２平面部１９とが一体形成された筒状部材で構成されていた。これに対して、本実施形態の保持部材６１において、収納部材６２は、第１平面部１８と第２平面部６３とが別々のシート状の部材で構成されている。第１平面部１８と第２平面部６３とは、出入口を除く周縁部に設けられた接合部６４によって接合されている。
【００８８】
本実施形態の場合、第１平面部１８は、第１実施形態と同様、（ＰＰ）、ポリエチレンテレフタレート（ＰＥＴ）、ポリエチレン（ＰＥ）等の樹脂材料で構成されている。一方、第２平面部６３は、布、不織布、紙等の繊維状材料で構成されており、光散乱性を有している。いずれの材料を選択するかによって光散乱性や意匠性を調整することができる。
保持部材６１のその他の構成は、第１実施形態と同様である。
【００８９】
本実施形態においても、所定の機能を低下させることなく、採光フィルム１２を窓面１３に確実に保持することができる保持部材６１が得られる、所望の採光特性を発揮できる採光装置６０が得られる、採光フィルム１２の交換、取り外しを容易に行うことができる、といった第１実施形態と同様の効果が得られる。
【００９０】
さらに本実施形態の場合、第１平面部１８と第２平面部６３とが異種材料によって構成されるため、第１平面部１８と第２平面部６３とに要求される性能を満たす材料の選択の自由度を高められる。上記の性能とは、例えば光散乱特性、紫外線吸収性能、表面処理の容易性等である。特に布、不織布、紙等の繊維状材料を選択した場合、採光装置６０は、光散乱性の向上とともに、意匠性の向上、部屋の雰囲気の向上等に寄与することができる。
【００９１】
なお、本実施形態では、第１平面部１８と第２平面部６３とを異種材料で構成したが、第１平面部１８と第２平面部６３とを同一材料で構成してもよい。また、第１平面部１８と第２平面部６３を同一材料で構成した場合、第１平面部１８と第２平面部６３の表面加工、厚さ等を変えてもよい。
【００９２】
［第４実施形態：採光装置］
以下、第４実施形態の採光装置について、図２０、図２１を用いて説明する。
第４実施形態の採光装置の基本構成は第１実施形態と同一であり、保持部材の構成が第１実施形態と異なる。したがって、採光フィルムの説明は省略し、保持部材についてのみ説明する。
図２０は、第４実施形態の採光装置の断面図である。図２１は、図２０のXXI−XXI線に沿った採光装置の断面図である。
図２０、図２１において、第１実施形態で用いた図面と共通の構成要素には同一の符号を付し、説明を省略する。
【００９３】
図２０、図２１に示すように、本実施形態の採光装置７０において、保持部材７１は、収納部材７２と、貼合部１６（第１貼合部）と、を備えている。収納部材７２は、第１平面部１８と、第２平面部７３と、空隙部２０（第１空隙部）と、出入口２１と、を備えている。
【００９４】
本実施形態の保持部材７１において、収納部材７２は、第１平面部１８と第２平面部７３とが異種のシート状部材で構成されている。第１平面部１８と第２平面部７３とは、出入口２１を除く周縁部に設けられた接合部６４によって接合されている。
【００９５】
本実施形態において、第３実施形態と同様、第１平面部１８は、ポリプロピレン（ＰＰ）、ポリエチレンテレフタレート（ＰＥＴ）、ポリエチレン（ＰＥ）等の樹脂材料で構成されている。一方、第２平面部７３は、布、不織布、紙等の繊維状材料で構成されている。また、第２平面部７３は、内部が刳り抜かれた複数の開口部７３ｋを有している。開口部７３ｋの形状、数、寸法等については、要求される性能に応じて適宜設定される。
保持部材７１のその他の構成は、第３実施形態と同様である。
【００９６】
本実施形態においても、所定の機能を低下させることなく、採光フィルム１２を窓面１３に確実に保持することができる保持部材７１が得られる、所望の採光特性を発揮できる採光装置７０が得られる、採光フィルム１２の交換、取り外しを容易に行うことができる、といった第１実施形態と同様の効果が得られる。
【００９７】
さらに本実施形態の場合、第２平面部７３に開口部７３ｋが設けられているため、第２平面部７３が有する機能や特性を調整することができる。例えば開口部７３ｋの数や大きさを調整することにより、光拡散性を調整することができる。また、開口部７３ｋによって任意の模様や文字を表現してもよく、意匠性を付与することもできる。さらに、第２平面部７３の一部を着色することにより、模様や文字を表現してもよい。
【００９８】
［第５実施形態：採光装置］
以下、第５実施形態の採光装置について、図２２を用いて説明する。
第５実施形態の採光装置の基本構成は第１実施形態と同一であり、保持部材の構成が第１実施形態と異なる。したがって、採光フィルムの説明は省略し、保持部材についてのみ説明する。
図２２は、第５実施形態の採光装置の正面図である。
図２２において、第１実施形態で用いた図面と共通の構成要素には同一の符号を付し、説明を省略する。
【００９９】
第１実施形態の採光装置１０において、保持部材１１は１枚の採光フィルム１２を収納する。これに対し、本実施形態の採光装置８０において、保持部材８１は２枚の採光フィルム１２Ａ，１２Ｂを収納する。すなわち、図２２に示すように、収納部材８２は、２つの空隙部２０Ａ，２０Ｂと、２つの出入口２１Ａ，２１Ｂと、を備えている。収納部材８２の上辺および下辺と中央部にヒートシール加工が施され、右側の空隙部２０Ａの右辺に沿って出入口２１Ａが設けられ、左側の空隙部２０Ｂの左辺に沿って出入口２１Ｂが設けられている。したがって、使用者は、右側の空隙部２０Ａに右側から採光フィルム１２Ａを入れることができ、左側の空隙部２０Ｂには左側から採光フィルム１２Ｂを入れることができる。
【０１００】
本実施形態の場合、右側の空隙部２０Ａと左側の空隙部２０Ｂとでは、位置決め部２３の位置が左右逆であるため、右側の空隙部２０Ａに右側用の採光フィルム１２Ａを挿入し、左側の空隙部２０Ｂには左側用の採光フィルム１２Ｂを挿入する必要がある。そこで、空隙部２０Ａと左側の空隙部２０Ｂとで、位置決め部の形状やサイズを変えてもよい。
保持部材８１のその他の構成は、第１実施形態と同様である。
【０１０１】
本実施形態においても、所定の機能を低下させることなく、採光フィルム１２Ａ，１２Ｂを窓面１３に確実に保持することができる保持部材８１が得られる、所望の採光特性を発揮できる採光装置８０が得られる、採光フィルム１２Ａ，１２Ｂの交換、取り外しを容易に行うことができる、といった第１実施形態と同様の効果が得られる。
【０１０２】
さらに本実施形態の場合、保持部材８１が２枚の採光フィルム１２Ａ，１２Ｂを収納できる構成となっているため、例えば１枚の採光フィルムでは窓全体をカバーできないような大型の窓面に対しても対応が可能である。また、２枚の採光フィルム１２Ａ，１２Ｂのうち、１枚の採光フィルムのみを交換したり、取り外したりすることもできるし、特性が互いに異なる採光フィルムを用いることもできる。
【０１０３】
［第６実施形態：採光装置］
以下、第６実施形態の採光装置について、図２３を用いて説明する。
第６実施形態の採光装置の基本構成は第１実施形態と同一であり、保持部材の構成が第１実施形態と異なる。したがって、採光フィルムの説明は省略し、保持部材についてのみ説明する。
図２３は、第６実施形態の採光装置の正面図である。
図２３において、第１実施形態で用いた図面と共通の構成要素には同一の符号を付し、説明を省略する。
【０１０４】
本実施形態の採光装置９０において、保持部材９１は、６枚の採光フィルム１２Ａを収納する。図２３に示すように、収納部材９２は、６個の空隙部２０Ａと、６個の出入口２１Ａと、を備えている。各出入口２１Ａは、各空隙部２０Ａの右辺に沿ってそれぞれ設けられている。したがって、使用者は、全ての空隙部２０Ａに対して右側から採光フィルム１２Ａを入れることができる。
【０１０５】
本実施形態においても、所定の機能を低下させることなく、採光フィルム１２Ａを窓面１３に確実に保持することができる保持部材９１が得られる、所望の採光特性を発揮できる採光装置９０が得られる、採光フィルム１２Ａの交換、取り外しを容易に行うことができる、といった第１実施形態と同様の効果が得られる。
【０１０６】
さらに本実施形態の場合、保持部材９１が６枚の採光フィルム１２Ａを収納できるため、例えば１枚の採光フィルムでは窓全体をカバーできないような大型の窓面に対しても対応が可能である。また、６枚の採光フィルム１２Ａのうち、一部の採光フィルム１２Ａのみを交換したり、取り外したりすることもできる。
【０１０７】
［第７実施形態：採光装置］
以下、第７実施形態の採光装置について、図２４を用いて説明する。
第７実施形態の採光装置の基本構成は第１実施形態と同一であり、保持部材の構成が第１実施形態と異なる。したがって、採光フィルムの説明は省略し、保持部材についてのみ説明する。
図２４は、第７実施形態の採光装置の正面図である。
図２４において、第１実施形態で用いた図面と共通の構成要素には同一の符号を付し、説明を省略する。
【０１０８】
本実施形態の採光装置９５において、保持部材９６は、第６実施形態と同様、６枚の採光フィルム１２Ａを収納することができる。図２４に示すように、収納部材９７は、６個の空隙部２０Ａと、６個の出入口２１Ｃと、を備えている。各出入口２１Ｃは、各空隙部２０Ａの上辺に沿ってそれぞれ設けられている。したがって、使用者は、全ての空隙部２０Ａに対して上側から採光フィルム１２Ａを入れることができる。
【０１０９】
本実施形態においても、所定の機能を低下させることなく、採光フィルム１２Ａを窓面１３に確実に保持することができる保持部材９６が得られる、所望の採光特性を発揮できる採光装置９５が得られる、採光フィルム１２Ａの交換、取り外しを容易に行うことができる、といった第１実施形態と同様の効果が得られる。
【０１１０】
さらに、大型の窓面に対しても対応が可能である、一部の採光フィルム１２Ａのみの交換や取り外しが可能である、といった第５、第６実施形態と同様の効果を得ることができる。
【０１１１】
［第８実施形態：採光装置］
以下、第８実施形態の採光装置について、図２５を用いて説明する。
第８実施形態の採光装置の基本構成は第１実施形態と同一であり、保持部材の構成が第１実施形態と異なる。したがって、採光フィルムの説明は省略し、保持部材についてのみ説明する。
図２５は、第８実施形態の採光装置の正面図である。
図２５において、第１実施形態で用いた図面と共通の構成要素には同一の符号を付し、説明を省略する。
【０１１２】
本実施形態の採光装置６５において、保持部材６６は、３枚の採光フィルム１２Ｃ，１２Ｄを収納することができる。図２５に示すように、収納部材６７は、３個の空隙部２０Ｃ，２０Ｄと、３個の出入口２１Ｃ，２１Ｄと、を備えている。左側の２個の空隙部２０Ｃについては、各出入口２１Ｃは各空隙部２０Ｃの左辺に沿ってそれぞれ設けられている。右側の１個の空隙部２０Ｄについては、出入口２１Ｃは空隙部２０Ｄの右辺に沿って設けられている。したがって、使用者は、左側の２個の空隙部２０Ｃに対して左側から採光フィルム１２Ｃを入れることができ、右側の空隙部２０Ｄに対して右側から採光フィルム１２Ｄを入れることができる。
【０１１３】
本実施形態においても、所定の機能を低下させることなく、採光フィルム１２Ｃ，１２Ｄを窓面１３に確実に保持することができる保持部材６６が得られる、所望の採光特性を発揮できる採光装置６５が得られる、採光フィルム１２Ｃ，１２Ｄの交換、取り外しを容易に行うことができる、といった第１実施形態と同様の効果が得られる。
【０１１４】
さらに本実施形態の場合、各空隙部２０Ｃ，２０Ｄの形状や寸法を適宜設計することによって、矩形以外の多様な形状を有する窓にも対応が可能である。また、一部の採光フィルム１２Ｃ，１２Ｄのみの交換や取り外しが可能である、といった第５〜第７実施形態と同様の効果を得ることができる。
【０１１５】
［第９実施形態：採光装置］
以下、第９実施形態の採光装置について、図２６を用いて説明する。
第９実施形態の採光装置の基本構成は第１実施形態と同一であり、保持部材の構成が第１実施形態と異なる。したがって、採光フィルムの説明は省略し、保持部材についてのみ説明する。
図２６は、第９実施形態の採光装置の断面図である。
図２６において、第１実施形態で用いた図面と共通の構成要素には同一の符号を付し、説明を省略する。
【０１１６】
図２６に示すように、本実施形態の採光装置１５０において、保持部材１５１は、収納部材１５２と、貼合部１６（第１貼合部）と、を備えている。収納部材１５２は、第１平面部１８と、第２平面部１９と、第３平面部４７と、第１接合部６４Ａと、第２接合部６４Ｂと、第１空隙部２０Ｅと、第２空隙部２０Ｆと、第１出入口２１Ｅと、第２出入口２１Ｆと、を備えている。
【０１１７】
本実施形態の収納部材１５２において、第１平面部１８、第２平面部１９、および第１空隙部２０Ｅ（第１実施形態の空隙部２０）に係る構成は、第１実施形態と同様である。
第３平面部４７は、第２平面部１９に対して第１平面部１８とは反対側に設けられ、第２平面部１９と略平行に配置されている。第２空隙部２０Ｆは、第２平面部１９と第３平面部４７との間の空間であって、採光フィルム１２とは異なる任意の光学フィルム１５４を収納する。第１空隙部２０Ｅと第２空隙部２０Ｆとは、第２平面部１９を挟んで収納部材１５２の厚さ方向に設けられている。光学フィルム１５４としては、光拡散フィルム、意匠性フィルム等の種々のフィルムを適宜選択できる。
【０１１８】
第１平面部１８と第２平面部１９とは、第１出入口２１Ｅを除く周縁部に設けられた第１接合部６４Ａによって接合されている。第２平面部１９と第３平面部４７とは、第２出入口２１Ｆを除く周縁部に設けられた第２接合部６４Ｂによって接合されている。
【０１１９】
第１平面部１８、第２平面部１９、および第３平面部４７は、例えば同種の材料で構成されていてもよいし、異種の材料で構成されていてもよい。これらの平面部１８，１９，４７が異種の材料で構成されている場合、第３実施形態と同様、光散乱性や意匠性を調整することができる。
【０１２０】
本実施形態においても、所定の機能を低下させることなく、採光フィルム１２を窓面１３に確実に保持することができる保持部材１５１が得られる、所望の採光特性を発揮できる採光装置１５０が得られる、採光フィルム１２の交換、取り外しを容易に行うことができる、といった第１実施形態と同様の効果が得られる。
【０１２１】
さらに本実施形態の場合、採光フィルム１２以外の光学フィルム１５４を収納するための第２空隙部２０Ｆが設けられているため、採光特性にとって付加的な機能を光学フィルム１５４に担わせることができる。また、使用する採光フィルム１２と光学フィルム１５４との組合せを変えて、光学特性を調整することができる。
【０１２２】
［第１０実施形態：採光装置］
以下、第１０実施形態の採光装置について、図２７を用いて説明する。
第１０実施形態の採光装置の基本構成は第１実施形態と同一であり、保持部材の構成が第１実施形態と異なる。したがって、採光フィルムの説明は省略し、保持部材についてのみ説明する。
図２７は、第１０実施形態の採光装置の断面図である。
図２７において、第１実施形態で用いた図面と共通の構成要素には同一の符号を付し、説明を省略する。
【０１２３】
図２７に示すように、本実施形態の採光装置１６０において、保持部材１６１は、収納部材１６２と、貼合部１６（第１貼合部）と、を備えている。収納部材１６２は、第１平面部１８と、第２平面部１９と、第３平面部４７と、第１接合部６４Ａと、第２接合部６４Ｂと、第１空隙部２０Ｅと、第２空隙部２０Ｆと、第１出入口２１Ｅと、第２出入口２１Ｆと、を備えている。
【０１２４】
本実施形態の収納部材１６２の構成は、第９実施形態の収納部材１５２の構成と略同様である。第９実施形態の収納部材１５２では、第１平面部１８、第２平面部１９、および第３平面部４７は、別体の３枚のシート状の部材で構成されていた。これに対して、本実施形態の収納部材１６２では、第１平面部１８、第２平面部１９、および第３平面部４７は、折り曲げられた１枚のシート状の部材で構成されている。したがって、シート状部材の折り曲げ部分Ｍには、第１接合部６４Ａおよび第２接合部６４Ｂが存在していない。
【０１２５】
本実施形態においても、所定の機能を低下させることなく、採光フィルム１２を窓面１３に確実に保持することができる保持部材１６１が得られる、所望の採光特性を発揮できる採光装置１６０が得られる、採光フィルム１２の交換、取り外しを容易に行うことができる、といった第１実施形態と同様の効果が得られる。また、採光フィルム１２以外の光学フィルム１５４によって他の機能を付加することができる、等の第９実施形態と同様の効果が得られる。
【０１２６】
［第１１実施形態：採光装置］
以下、第１１実施形態の採光装置について、図２８を用いて説明する。
第１１実施形態の採光装置の基本構成は第１実施形態と同一であり、保持部材の構成が第１実施形態と異なる。したがって、採光フィルムの説明は省略し、保持部材についてのみ説明する。
図２８は、第１１実施形態の採光装置の正面図である。
図２８において、第１実施形態で用いた図面と共通の構成要素には同一の符号を付し、説明を省略する。
【０１２７】
図２８に示すように、採光装置１７０は、複数の保持部からなる保持部材１７１と、保持部材１７１に保持された採光フィルム１２と、を備える。すなわち、第１〜第１０実施形態では、１枚の採光フィルムが一体の保持部材によって保持される形態を例示したが、本実施形態では、１枚の採光フィルム１２が複数の保持部からなる保持部材１７１によって保持される形態を例示する。特に本実施形態では、１枚の採光フィルム１２が４つの保持部１７１Ａ〜１７１Ｄからなる保持部材１７１によって保持される例を挙げる。
【０１２８】
保持部材１７１は、水平方向に互いに距離をおいて配置された４つの保持部１７１Ａ〜１７１Ｄから構成されている。言い換えると、本実施形態の保持部材１７１は、第１実施形態の保持部材を分割して一部の分割した保持部材を間引き、採光フィルム１２の一部を露出させた構成を有する。採光フィルム１２は、図２８における保持部材１７１の右側から挿入される。以下、４つの保持部を右側から左側に向けて順に、第１保持部１７１Ａ、第２保持部１７１Ｂ、第３保持部１７１Ｃ、第４保持部１７１Ｄと称する。
【０１２９】
第１保持部１７１Ａ、第２保持部１７１Ｂおよび第３保持部１７１Ｃは、互いに同一の構成を有しており、これらの保持部１７１Ａ〜１７１Ｃと第４保持部１７１Ｄとは、構成が異なる。第１保持部１７１Ａ、第２保持部１７１Ｂおよび第３保持部１７１Ｃは、右辺と左辺とがともに出入口２１となっている。第４保持部１７１Ｄは、右辺のみが出入口２１となっており、左辺は閉じられている。また、第４保持部１７１Ｄの左下の角部には、位置決め部２３が設けられている。
【０１３０】
第１保持部１７１Ａ、第２保持部１７１Ｂ、第３保持部１７１Ｃおよび第４保持部１７１Ｄの構成材料は、同じであってもよいし、異なっていてもよい。各保持部１７１Ａ〜１７１Ｄの材料を異ならせることにより、窓面の位置に応じて採光装置１７０の光学特性を調整することができる。
【０１３１】
本実施形態においても、所定の機能を低下させることなく、採光フィルム１２を窓面に確実に保持することができる保持部材１７１が得られる、所望の採光特性を発揮できる採光装置１７０が得られる、採光フィルム１２の交換、取り外しを容易に行うことができる、といった第１実施形態と同様の効果が得られる。
【０１３２】
なお、保持部材１７１を構成する保持部の数、寸法、形状は、本実施形態の例に限らず、適宜変更が可能である。ただし、保持部の数が少なすぎたり、保持部の幅が狭すぎたりして、採光フィルムの露出部分が多くなり過ぎると、保持部材１７１が採光フィルム１２を十分に保持できず、採光フィルム１２が撓むおそれがある。したがって、保持部の数や寸法は、採光フィルム１２が窓面に略平行に保持される程度に設定される必要がある。
【０１３３】
［照明システム］
図２９は、採光システム２０１０を備えた部屋モデル２０００を示す図であり、図３０のＪ−Ｊ’線に沿う断面図である。
図３０は、部屋モデル２０００の天井を示す平面図である。
【０１３４】
太陽光が導入される部屋２００３の天井２００３ａを構成する天井材は、高い光反射性を有することが望ましい。図２９および図３０に示すように、部屋２００３の天井２００３ａには、光反射性を有する天井材として、光反射性天井材２００３Ａが設置されている。光反射性天井材２００３Ａは、窓２００２に設置された採光システム２０１０からの外光を室内の奥の方に導入することを促進する。光反射性天井材２００３Ａは、窓際の天井２００３ａに設置されている。具体的には、天井２００３ａの所定の領域Ｅ（窓２００２から約３ｍの領域）に設置されている。
【０１３５】
光反射性天井材２００３Ａは、上述したように、いずれかの実施形態の採光装置からなる採光システム２０１０が設置された窓２００２を介して室内に導入された太陽光を室奥側まで効率良く導く。採光システム２０１０から室内の天井２００３ａに向けて導入された太陽光は、光反射性天井材２００３Ａで反射され、向きを変えて室内の奥に置かれた机２００５の机上面２００５ａを照らすことになり、当該机上面２００５ａを明るくする効果を発揮する。
【０１３６】
光反射性天井材２００３Ａは、拡散反射性であってもよいし、鏡面反射性であってもよいが、室内の奥に置かれた机２００５の机上面２００５ａを明るくする効果と、室内に居る人にとって不快なグレア光を抑える効果を両立するために、両者の特性が適度に合わさっていることが好ましい。
【０１３７】
採光システム２０１０により室内に導入された光のうちの多くは天井に向かう。一般に、窓２００２の近傍は光量が十分である場合が多い。そのため、上記のような採光システムと光反射性天井材２００３Ａとを併用することにより、窓付近の天井（領域Ｅ）に入射した光を、窓際に比べて光量の少ない室内の奥側に振り分けることができる。
【０１３８】
光反射性天井材２００３Ａは、例えばアルミニウム等の金属板に数十μｍ程度の凹凸によるエンボス加工を施したり、同様の凹凸を形成した樹脂基板の表面にアルミニウム等の金属薄膜を蒸着したりして作製することができる。あるいは、エンボス加工により形成される凹凸がより大きな周期の曲面で形成されていてもよい。
【０１３９】
さらに、光反射性天井材２００３Ａに形成するエンボス形状を適宜変えることにより、光の配光特性や室内での光の分布を制御することができる。例えば、室内の奥側に延在するストライプ状にエンボス加工を施した場合は、光反射性天井材２００３Ａで反射した光が、窓２００２の左右方向（凹凸の長手方向に交差する方向）に拡がる。窓２００２の大きさや向きが限られているような場合は、このような特性を利用して、光反射性天井材２００３Ａにより光を水平方向へ拡散させるとともに、部屋の奥側に向けて反射させることができる。
【０１４０】
採光システム２０１０は、部屋２００３の照明システムの一部として用いられる。照明システムは、例えば、採光システム２０１０と、複数の室内照明装置２００７と、これらの制御系と、天井２００３ａに設置された光反射性天井材２００３Ａと、を含む部屋全体の構成部材から構成される。
【０１４１】
部屋２００３の窓２００２には、採光システム２０１０が設置されている。窓の上部に採光システム２０１０が配置され、下部側に遮光部２００８が設けられている。
【０１４２】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光システム２０１０と合わせて部屋２００３の全体の照明システムを構成する。
【０１４３】
図２９および図３０に示すように、例えば、部屋２００３の幅方向（窓２００２の左右方向、Ｙ方向）の長さＬ１が１８ｍ、部屋２００３の奥行き方向（Ｘ方向）の長さＬ２が９ｍのオフィスの天井２００３ａを示す。ここでは、室内照明装置２００７は、天井２００３ａの横方向（Ｙ方向）および奥行き方向（Ｘ方向）に、それぞれ１．８ｍの間隔Ｐをおいて格子状に配置されている。より具体的には、５０個の室内照明装置２００７は、１０行（Ｙ方向）×５列（Ｘ方向）に配列されている。
【０１４４】
室内照明装置２００７は、室内照明器具２００７ａと、明るさ検出部２００７ｂと、制御部２００７ｃと、を備える。室内照明装置２００７は、室内照明器具２００７ａに明るさ検出部２００７ｂと制御部２００７ｃとが一体化された構成を有する。
【０１４５】
室内照明装置２００７は、室内照明器具２００７ａおよび明るさ検出部２００７ｂをそれぞれ複数ずつ備えていてもよい。ただし、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００ｂにより、室内に置かれた机２００５の机上面２００５ａの照度を検出する。
【０１４６】
室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【０１４７】
図３１は、採光装置によって室内に採光された光（自然光）の照度と、室内照明装置による照度（照明システム）との関係を示すグラフである。図３１において、縦軸は机上面の照度（ｌｘ）を示し、横軸は窓からの距離（ｍ）を示す。また、図中の破線は、室内の目標照度を示す（●：採光装置による照度、△：室内照明装置による照度、◇：合計照度）。
【０１４８】
図３１に示すように、採光システム２０１０により採光された光に起因する机上面照度は、窓の近傍ほど明るく、窓から遠くなるに従ってその効果は小さくなる。採光システム２０１０を適用した部屋では、昼間における窓からの自然採光により、このような部屋の奥行き方向への照度分布が生じる。そこで、採光システム２０１０は、室内の照度分布を補償する室内照明装置２００７と併用して用いられる。
【０１４９】
室内天井に設置された室内照明装置２００７は、それぞれの装置の下方の平均照度を明るさ検出部２００７ｂにより検出し、部屋全体の机上面照度が一定の目標照度Ｌ０になるように調光制御されて点灯する。したがって、窓の近傍に設置されているＳ１列、Ｓ２列はほとんど点灯せず、Ｓ３列、Ｓ４列、Ｓ５列と部屋の奥側に向かうに従って出力を上げながら点灯される。結果として、部屋の机上面は自然採光による照明と室内照明装置２００７による照明との双方で照らされ、部屋全体にわたって執務をする上で十分とされる机上面照度である７５０ｌｘ（「ＪＩＳ  Ｚ９１１０  照明総則」の執務室における推奨維持照度）を実現することができる。
【０１５０】
以上述べたように、採光システム２０１０と照明システム（室内照明装置２００７）とを併用することにより、室内の奥側まで光を届けることが可能となり、室内の明るさをさらに向上させることができ、部屋全体にわたって執務をする上で十分とされる机上面照度を確保することができる。したがって、季節や天気による影響を受けることなく、より一層安定した明るい光環境が得られる。
【０１５１】
なお、本発明の技術範囲は上記実施形態に限定されるものではなく、本発明の趣旨を逸脱しない範囲において種々の変更を加えることが可能である。
例えば上記実施形態では、貼合部が第１平面部の窓面の対向する側の面の全域に設けられているが、貼合部は第１平面部の窓面の対向する側の面の少なくとも一部に設けられていてもよい。また、上記実施形態では、粘着層で構成された貼合部の例を挙げたが、帯電処理が施されることで静電吸着方式により窓面に貼合する貼合部であってもよい。静電吸着方式を用いた場合、保持部材を窓面から剥がした際に粘着材の残り等が発生しないため、採光装置を取り外した際の見栄えがよい。
【０１５２】
また、保持部材および採光装置を構成する各構成要素の数、形状、寸法、配置、材料等の具体的な記載については、上記実施形態で例示したものに限らず、適宜変更が可能である。
【０１５３】
また、上記実施形態では、本発明の一態様による保持部材を採光フィルムと組合せ、採光装置として使用する例を挙げたが、この例に代えて、保持部材を採光フィルム以外の光学フィルム、例えば光拡散フィルム、減光フィルター等と組み合わせて用いてもよい。
【産業上の利用可能性】
【０１５４】
本発明の一態様は、太陽光などの外光を室内に採り入れるための採光装置に利用が可能である。
【符号の説明】
【０１５５】
１０，６０，６５，７０，８０，９０，９５，１５０，１６０，１７０…採光装置、１１，５１，６１，６６，７１，８１，９１，９６，１５１，１６１，１７１…保持部材、１２，１２Ａ，１２Ｂ，１２Ｃ，１２Ｄ，３３，３６，３９，４３，４８…採光フィルム（可視光調整フィルム）、１３，１３Ａ，１３Ｂ…窓面、１５，５２，６２，６７，７２，８２，９２，９７，１５２，１６２…収納部材、１６…貼合部（第１貼合部）、１８，５５…第１平面部、１９，５６，６３，７３…第２平面部、２０，２０Ａ，２０Ｂ，２０Ｃ，２０Ｄ，２０Ｅ，５７…空隙部（第１空隙部）、２１，２１Ａ，２１Ｂ，２１Ｃ，２１Ｄ，５８…出入口、２１Ｅ…第１出入口、２１Ｆ…第２出入口、２２…切り欠き部、２３…位置決め部、４７…第３平面部、５３…第１貼合部、５４…第２貼合部、５６ｔ…張出部、１５４…光学フィルム。
【図１】
2019027008.tif 000003
【図２】
2019027008.tif 000004
【図３】
2019027008.tif 000005
【図４】
2019027008.tif 000006
【図５】
2019027008.tif 000007
【図６Ａ】
2019027008.tif 000008
【図６Ｂ】
2019027008.tif 000009
【図６Ｃ】
2019027008.tif 000010
【図６Ｄ】
2019027008.tif 000011
【図７】
2019027008.tif 000012
【図８】
2019027008.tif 000013
【図９】
2019027008.tif 000014
【図１０】
2019027008.tif 000015
【図１１】
2019027008.tif 000016
【図１２】
2019027008.tif 000017
【図１３】
2019027008.tif 000018
【図１４】
2019027008.tif 000019
【図１５】
2019027008.tif 000020
【図１６】
2019027008.tif 000021
【図１７】
2019027008.tif 000022
【図１８】
2019027008.tif 000023
【図１９】
2019027008.tif 000024
【図２０】
2019027008.tif 000025
【図２１】
2019027008.tif 000026
【図２２】
2019027008.tif 000027
【図２３】
2019027008.tif 000028
【図２４】
2019027008.tif 000029
【図２５】
2019027008.tif 000030
【図２６】
2019027008.tif 000031
【図２７】
2019027008.tif 000032
【図２８】
2019027008.tif 000033
【図２９】
2019027008.tif 000034
【図３０】
2019027008.tif 000035
【図３１】
2019027008.tif 000036
【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
可視光調整フィルムを収納した状態で窓面に保持するための保持部材であって、
少なくとも一部が可視光透過性を有し、弾性変形可能な材料で構成され、前記可視光調整フィルムを収納する収納部材と、
前記収納部材の前記窓面に対向する面の少なくとも一部に設けられ、前記収納部材を前記窓面に貼合する第１貼合部と、
を備え、
前記収納部材は、前記窓面に対向して設けられる第１平面部と、前記第１平面部に対して前記窓面と反対側に設けられ、前記第１平面部と略平行に配置された第２平面部と、前記第１平面部と前記第２平面部との間において前記可視光調整フィルムを収納する第１空隙部と、前記可視光調整フィルムを出し入れするための出入口と、を備え、
前記第１平面部及び前記第２平面部は、矩形形状であって、
前記第１平面部及び前記第２平面部それぞれの四辺のうち対応する三辺が互いに結合されており、前記第１平面部及び前記第２平面部それぞれの四辺のうち対応する残りの一辺同士の間に設けられる隙間が前記出入口となっている、
保持部材。
【請求項２】
前記収納部材は、前記可視光透過性以外の特定機能を有する、請求項１に記載の保持部材。
【請求項３】
前記特定機能は、可視域および非可視域のうちの少なくとも一部の波長の光の透過量を減少させる機能である、請求項２に記載の保持部材。
【請求項４】
前記特定機能は、反射防止機能もしくは防眩機能である、請求項２に記載の保持部材。
【請求項５】
前記特定機能は、撥水機能、防汚機能、防傷機能、防炎機能のいずれかである、請求項２に記載の保持部材。
【請求項６】
前記特定機能は、前記第１平面部および前記第２平面部の前記第１空隙部に対向する面に施された易滑機能である、請求項２に記載の保持部材。
【請求項７】
前記収納部材は、前記出入口の一部に設けられた切り欠き部をさらに備えた、請求項１に記載の保持部材。
【請求項８】
前記収納部材は、前記可視光調整フィルムを所定の向きに収納するための位置決め部をさらに備えた、請求項１に記載の保持部材。
【請求項９】
前記第１貼合部は、前記窓面に対向する前記収納部材の外面の全域に設けられている、請求項１に記載の保持部材。
【請求項１０】
前記第１貼合部は、可視域および非可視域のうちの少なくとも一部の波長の光の透過を抑制する機能を有する、請求項９に記載の保持部材。
【請求項１１】
前記第２平面部は、前記第１平面部の外側に張り出した張出部と、前記張出部の前記窓面に対向する側の面に設けられた第２貼合部と、
をさらに備えた、請求項１に記載の保持部材。
【請求項１２】
前記第２平面部は、布、不織布、紙のいずれかで構成されている、請求項１に記載の保持部材。
【請求項１３】
前記収納部材は、前記第２平面部に対して前記第１平面部と反対側に設けられ、前記第２平面部と略平行に配置された第３平面部と、前記第２平面部と前記第３平面部との間において前記可視光調整フィルムとは異なる光学フィルムを収納する第２空隙部と、をさらに備えた、請求項１に記載の保持部材。
【請求項１４】
前記第１平面部と前記第２平面部とは、一体形成された筒状部材で構成されている、請求項１に記載の保持部材。
【請求項１５】
前記第１平面部と前記第２平面部とは、周縁部が互いに接着された別体の２枚の板状部材で構成されている、請求項１に記載の保持部材。
【請求項１６】
請求項１から請求項１５までのいずれか一項に記載の保持部材と、
前記保持部材に保持された前記可視光調整フィルムとしての採光フィルムと、
を備えた、採光装置。
【国際調査報告】
2019027008.tif 000037
2019027008.tif 000038
2019027008.tif 000039